(57)【要約】      （修正有）【課題】速かに暖房がなされて、長らく熱を貯蔵させることができるだけでなく、床の全体が均一に加熱される暖房効率に優れるオンドル構造体を提供する。【解決手段】焚口で発生する火気（熱気）が底板から離隔した上部板の間に形成された熱移動通路で連通できるようにして熱を上部板の上に配置される黄土と麦飯石などからなる蓄熱部に伝達し、かつ前記熱移動通路が焚口に近い部分から遠い部分に行くほど高さが高まり、前記蓄熱部が焚口に近い部分から遠い部分に行くほど厚さが薄くなり、前記熱移動通路に多数設置される上部板を支持する上部板支持台と焚口で発生する熱気の流入を受けて蓄熱部に伝達する熱伝逹支持台により床の全体が均一に熱の伝達を受けるようにし、蓄熱部の間に熱を直接伝達できるようにした。【選択図】図３
2018004236.tif 000002
【特許請求の範囲】
【請求項１】
焚口（１０）で発生する火気を用いて暖房するオンドル構造体であって、
焚口（１０）で発生する火気の伝達を受けて熱を貯蔵するために底板（１１１）から離隔して上部板（１１２）が設置され、前記底板（１１１）と上部板（１１２）との間に熱が移動する熱移動通路（１１３）を形成するフレーム（１１０）と、
前記底板（１１１）から前記上部板（１１２）まで延長形成され、前記熱移動通路（１１３）に多数備えられ、上面（１２１）が開放された上部板支持台（１２０）と、
前記底板（１１１）に垂直に設置されて前記熱移動通路（１１３）に多数備えられ、前記上部板（１１２）の上に突出形成され、かつ内部が中空であり、前記上部板（１１２）の下に前記焚口方向に通孔が形成された熱伝逹支持台（１３０）と、
前記上部板（１２０）の上部に位置する蓄熱部（１４０）と、
を含んでなり、かつ
前記熱移動通路（１１３）は前記焚口（１０）から遠ざかるほどその高さが高まり、前記蓄熱部（１４０）は前記焚口（１０）から遠ざかるほどその厚さが小さくなることを特徴とする、オンドル構造体。
【請求項２】
前記熱伝逹支持台（１３０）は前記焚口（１０）から遠ざかるほどその高さが高まり、
前記通孔は前方面（１３１）に焚口から発生した火気が流入する前方ホール（１３１ａ）であることを特徴とする、請求項１に記載のオンドル構造体。
【請求項３】
前記フレーム（１１０）の縁からなる側面板（１１４）と上部板（１１２）との間の内側に凹に設けられる溝部（１１５）と、前記上部板支持台（１２０）の内側及び前記上部板（１１２）の上部から前記側面板（１１４）の上端まで蓄熱組成物で詰められ、
前記フレーム（１１０）は前記底板（１１１）と側面板（１１４）が断熱材で備えられることを特徴とする、請求項２に記載のオンドル構造体。
【請求項４】
前記蓄熱組成物は、黄土、砂利、または麦飯石のうち、いずれか１つ以上を含み、
前記蓄熱部（１４０）の上部にはオンドル、大理石、または紙床仕上げ材で備えられる仕上げ材（１４１）が配置されることを特徴とする、請求項３に記載のオンドル構造体。
【請求項５】
前記熱伝逹支持台（１３０）は上部板（１１２）の下部の両側面（１３２）に側面ホール（１３２ａ）が形成されることを特徴とする、請求項２に記載のオンドル構造体。
【請求項６】
前記熱伝逹支持台（１３０）と前記上部板支持台（１２０）はその断面が円形または四角形であることを特徴とする、請求項５に記載のオンドル構造体。
【請求項７】
前記熱伝逹支持台（１３０）は後方面（１３４）の内側に底面に向けて下向き傾斜する傾斜面（１３４ａ）が形成されることを特徴とする、請求項６に記載のオンドル構造体。
【発明の詳細な説明】
【技術分野】
【０００１】
本発明はオンドルを用いて暖房するオンドル構造体に関し、より詳しくは、焚口で発生する火気（熱気）が底板から離隔した上部板の間に形成された熱移動通路で連通できるようにして、熱を上部板の上に配置される黄土と麦飯石などからなる蓄熱部に伝達し、かつ前記熱移動通路が焚口に近い部分から遠い部分に行くほど高さが高まり、前記蓄熱部が焚口に近い部分から遠い部分に行くほど厚さが薄くなり、前記熱移動通路に多数設置される上部板を支持する上部板支持台と焚口で発生する熱気の流入を受けて蓄熱部に伝達する熱伝逹支持台により床の全体が均一に熱の伝達を受けるようにし、蓄熱部の間に熱を直接伝達できるので、速かに暖房がなされて、長らく熱を貯蔵させることができるだけでなく、床の全体が均一に加熱される暖房効率に優れるオンドル構造体に関する。
【背景技術】
【０００２】
通常的に、伝統的な住宅の暖房システムは火木を燃して発生する熱気と煙を用いてオンドル石を暖めた後、このオンドル石の熱気を用いて室内を暖房するオンドル暖房方式が主流をなしている。
【０００３】
このようなオンドル暖房方式は、木を割って作った薪は勿論、捨てられた廃木や伐採された小枝など、日常生活の途中に周辺で得ることができる多様な種類の燃焼可能な物体を燃料に使用しているので、比較的暖房費用が低廉であるとする特徴がある。
【０００４】
一般に、オンドルは純粋韓国語で焼いた石からその由来を推定することができるものであって、床の下に火気が通じるようにしてオンドル石を暖める我が国の代表的な暖房施設である。
【０００５】
このような従来の伝統的な暖房施設であるオンドルを用いた暖房構造を見ると、特許文献１のオンドル構造物に詳細に開示されており、前記オンドル構造物は、図１に示すように、住宅の一側に火気を吹き込む焚口１０が形成され、前記焚口１０を通じて流入した火気でオンドル石を加熱し、前記焚口１０で発生した火気は複数の畝４０の間に形成される床の下にある火と煙の通路３０という火気の移動通路に沿ってまんべんなく拡散され、前記床の下にある火と煙の通路３０を循環して温度が下がった煙は煙突２０を通じて飛散して外部に放出される構造からなる。
【０００６】
前記のような従来のオンドル石において、火気の通路である複数の床の下にある火と煙の通路３０は焚口１０から煙突２０に向ける経路のうち、どこに位置するかによって長さが互いに異なるが、長さの長い床の下にある火と煙の通路は短い床の下にある火と煙の通路に比べて火気が冷めやすいので、相対的にその上部のオンドル石は冷たくなる。
【０００７】
したがって、従来の構造は床が全体的に熱くなることに時間が長くかかり、全ての床の下にある火と煙の通路３０に流入する火気が部屋の焚口に近い部分（焚口部分）と中間部分に集中されて焚口に近い部分は過度に熱くて底が焼けるか、または床仕上げ材が焼け付くことがあり、部屋の縁（側面）と焚口から遠い部分は相対的に冷たいという問題がある。
【０００８】
このような問題を解決するために、特許文献２の暖房効率を改善したオンドルは、焚口で生成された火気を直線経路を通じて焚口と遠く離れた地点に移動させた後、ジグザグで形成された床の下にある火と煙の通路に逆に流入させるようにし、特許文献３の移動住宅用オンドル石は逆風を遮断することができ、熱が留まることができる空間を確保し、火炎の分散が図れて床の全体をまんべんなく加熱できるようにした。
【先行技術文献】
【特許文献】
【０００９】
【特許文献１】韓国登録特許第１０−１１７７４９４号公報（２０１２．０８．２１．）
【特許文献２】韓国登録特許第１０−１４８１０８６号公報（２０１５．０１．０５．）
【特許文献３】韓国登録特許第１０−１４９８４３３号公報（２０１５．０２．２５．）
【発明の概要】
【発明が解決しようとする課題】
【００１０】
しかしながら、前記暖房効率を改善したオンドルは、焚口で生成された火気を焚口と遠く離れた地点に移動させることによって、火気の強さが減ることがあり、前記移動住宅用オンドル石は多数の床の下にある火と煙の通路が分散形成されたオンドル石手段の構造が複雑な短所がある。
【００１１】
ここに、本発明は前記のような問題を解決するために案出したものであって、焚口で発生する火気（熱気）が底板から離隔した上部板の間に形成された熱移動通路で連通できるようにして熱を上部板の上に配置される蓄熱部に伝達し、かつ前記熱移動通路が焚口に近い部分から遠い部分に行くほど高さが高まり、前記蓄熱部が焚口に近い部分から遠い部分に行くほど厚さが薄くなって、前記熱移動通路に多数設置される上部板支持台と熱伝逹支持台により床に熱を均一に伝達するようにすることによって、焚口から遠い部分から熱くなって焚口に近い部分が燃えるか、または床仕上げ材の色相が変わるか、または焼け付かないようになり、長らく熱を貯蔵するようになり、床の全体が速くて均一に熱くなるオンドル構造体を提供することをその目的とする。
【００１２】
また、本発明の他の目的は、熱を蓄積する蓄熱部の間に焚口で発生した火気が直接伝達できるようにして、床が速かに加熱できるオンドル構造体を提供することにある。
【００１３】
また、本発明の他の目的は、上部板を支持する上部板支持台の間に蓄熱組成物を充填し、蓄熱部の間に突出し、かつ焚口で発生する火気が直接流入するように通孔が形成された熱伝逹支持台が位置によって高さを異にして床の全体が均一し、速かに加熱されるオンドル構造体を提供することにある。
【００１４】
また、本発明の他の目的は、黄土と麦飯石などからなる蓄熱組成物が含まれた蓄熱部で遠赤外線を放出し、焚口に近い部分の蓄熱部の高さを厚くして長らく蓄熱が持続されるオンドル構造体を提供することにある。
【課題を解決するための手段】
【００１５】
前記の目的を達成するために、本発明は、焚口１０で発生する火気を用いて暖房するオンドル構造体において、焚口１０で発生する火気の伝達を受けて熱を貯蔵するために底板１１１から離隔して上部板１１２が設置され、前記底板１１１と上部板１１２との間に熱が移動する熱移動通路１１３を形成するフレーム１１０と；前記底板１１１から前記上部板１１２まで延長形成され、前記熱移動通路１１３に多数備えられ、上面１２１が開放された上部板支持台１２０と；前記底板１１１に垂直に設置されて前記熱移動通路１１３に多数備えられ、前記上部板１１２の上に突出形成され、かつ内部が中空であり、前記上部板１１２の下に前記焚口方向に通孔が形成された熱伝逹支持台１３０と；前記上部板１２０の上部に位置する蓄熱部１４０；を含んでなり、かつ前記熱移動通路１１３は前記焚口１０から遠ざかるほどその高さが高まり、前記蓄熱部１４０は前記焚口１０から遠ざかるほどその厚さが小さくなる。
【００１６】
また、本発明の前記熱伝逹支持台１３０は前記焚口１０から遠ざかるほどその高さが高まり、前記通孔は前方面１３１に焚口から発生した火気が流入する前方ホール１３１ａが形成される。
【００１７】
また、本発明は前記フレーム１１０の縁からなる側面板１１４と上部板１１２の間の内側に凹に設けられる溝部１１５と、前記上部板支持台１２０の内側及び前記上部板１１２の上部から前記側面板１１４の上端まで蓄熱組成物で詰められ、前記フレーム１１０は前記底板１１１と側面板１１４が断熱材で備えられる。
【００１８】
本発明の前記蓄熱組成物は、黄土、砂利、または麦飯石のうち、いずれか１つ以上を含み、前記蓄熱部１４０の上部にはオンドル、大理石、または紙床仕上げ材で備えられる仕上げ材１４１が配置される。
【００１９】
本発明の前記熱伝逹支持台１３０は、上部板１１２の下部の両側面１３２に側面ホール１３２ａが形成される。
【００２０】
本発明の前記熱伝逹支持台１３０と前記上部板支持台１２０は、その断面が円形または四角形である。
【発明の効果】
【００２１】
したがって、本発明に係るオンドル構造体は、焚口で発生する火気（熱気）が焚口に近い部分から遠い部分に行くほど高さが高まる熱移動通路に設置される上部板支持台、及び熱伝逹支持台を通過しながら焚口に近い部分から遠い部分に行くほど厚さが薄くなる蓄熱部により焚口から遠い部分から熱を伝達するようにすることによって、焚口に近い部分が過度に熱くならないようにし、床の全体が均一に暖房がなされるようにする効果がある。
【００２２】
また、本発明のオンドル構造体は、熱気が内部で回転しながら熱が拘束される熱伝逹支持台が上部板の上に突出形成されて、上部板の上に配置される蓄熱部に熱を直接的に伝達できるので、速かに蓄熱部を加熱することができる効果がある。
【００２３】
本発明のオンドル構造体は、上部板を支持する上部板支持台の間に蓄熱組成物を充填し、蓄熱部の間に突出し、かつ焚口で発生する火気が直接流入するように通孔が形成された熱伝逹支持台が位置によって高さを異にして床の全体が均一で、かつ速かに加熱される効果がある。
【００２４】
また、本発明のオンドル構造体は、黄土と麦飯石などからなる蓄熱組成物が含まれた蓄熱部から遠赤外線を放出し、焚口に近い部分の蓄熱部の高さを厚くすることができるので、長らく蓄熱が持続する効果がある。
【図面の簡単な説明】
【００２５】
【図１】従来のオンドルに対する概略的な状態図である。
【図２】本発明に係るオンドル構造体の概略的な斜視状態図である。
【図３】本発明に係るオンドル構造体の概略的な断面図である。
【図４】本発明に係るオンドル構造体の概略的な分離拡大図である。
【図５】本発明に係るオンドル構造体の熱伝逹支持台及び上部板支持台の側上部から見た斜視図である。
【図６】本発明に係るオンドル構造体の実施図である。
【発明を実施するための形態】
【００２６】
以下、本発明の好ましい実施形態を添付した図面を参照して当該分野で通常の知識を有する者が容易に実施できるように説明する。
【００２７】
本発明に係るオンドル構造体１００は、図２から図５に図示されているように、家１の底面で構成されて焚口１０で発生する火気（熱気）を用いて暖房するためのものであって、四角枠形態からなり、凹な内側に焚口１０で発生する火気と煙の伝達を受けて熱を貯蔵するために底板１１１から離隔して上部板１１２が設置されて、前記底板１１１と上部板１１２との間に熱が移動する熱移動通路１１３を形成するフレーム１１０と、前記底板１１１から前記上部板１１２まで延長形成され、前記熱移動通路１１３に多数備えられ、前記上部板１１２が底板１１１から離隔して位置できるように固定する機能をし、上面１２１が開放され、その断面が円形または四角形態の上部板支持台１２０と、前記底板１１１に垂直に多数設置され、かつ前記上部板１１２の上に突出形成され、その下部は前記熱移動通路１１３で焚口で発生する火気が流入するように通孔が備えられ、内部が中空の柱形態からなり、かつ上部板１１２の上に突出した部分は密閉される熱伝逹支持台１３０と、前記上部板１１２の上部で仕上げ材１４１の間に熱を蓄積する蓄熱組成物が内蔵される蓄熱部１４０を含んでなされる。
【００２８】
また、前記蓄熱部１４０はフレーム１１０の縁からなる側面板１１４の内側に上部板１１２の間に凹に設けられる溝部１１５、前記上部板支持台１２０の内側まで蓄熱組成物が内蔵されて熱を貯蔵する機能を有する。
【００２９】
前記オンドル構造体１００のフレーム１１０は四角枠または円形形態からなり、底板１１１と側面板１１４が断熱材で備えられ、前記フレーム１１０の凹な内側面に配置される上部板１１２と、上部板支持台１２０及び熱伝逹支持台１２０、１３０は熱伝導がいい材質からなる。
【００３０】
前記フレーム１１０は、前記底板１１１と上部板１１２とを垂直に連結して前記熱移動通路１１３を遮断する壁面１１３ａが前記側面板１１４の内側に一定間隔離隔するように設置具備されて、前記側面板１１４と壁面１１３ａとの間に溝部１１５を形成し、前記溝部１１５には前記側面板１１４と壁面１１３ａとを連結する連結台１１５ａが一定間隔離隔して多数設置され、蓄熱組成物が充填される。
【００３１】
そして、前記フレーム１１０はスライディング式で設置される焚口１０が装着される焚口装着部１１６と、焚口１０で発生した煙を外部に排出するための煙排出口１１７がさらに備えられる。
【００３２】
前記焚口１０は、スライディング式の以外にフレーム１１０と一体型に形成されるか、またはフレームの外部に別途に備えられることもできる。
【００３３】
前記上部板１１２には三角柱または四角柱形態に前記焚口１０が装着される部分に多数設置される上部支持台１１２ｂがさらに備えられ、前記上部支持台１１２ｂは焚口１０で発生する熱による上部板１１２の変形を防止するようになる。
【００３４】
前記フレーム１１０は前記側面板１１４から一定間隔離隔して前記底板１１１に垂直に壁面１１３ａが設置され、前記壁面１１３ａの中間に上部板１１２が設置具備されることによって、前記底板１１１と上部板１１２との間に空いている空間である熱移動通路１１３が形成され、前記底板１１１と上部板１１２とを連結する壁面１１３ａの結合部位は、前記熱移動通路１１３に貯蔵される煙が煙排出口１１７の以外の他の経路に放出されないように、できる限り密閉されることが好ましい。
【００３５】
前記フレーム１１０は前記側面板１１４から内側に一定間隔離隔して壁面１１３ａが設置されることによって、前記フレーム１１０の側面板１１４と壁面１１３ａとの間に溝部１１５が形成されて前記溝部１１５により熱移動通路１１３に貯蔵される熱が前記フレーム１１０の側面板１１４に直ぐ伝達されないようにするようになる。
【００３６】
そして、前記溝部１１５には前記蓄熱組成物が充填されることによって、煙が漏れ出すことを防止するだけでなく、保温の役割をするようになる。
【００３７】
前記底板１１１と上部板１１２との間には多数の上部板支持台１２０及び熱伝逹支持台１３０が設置されるようになり、前記上部板支持台１２０及び熱伝逹支持台１３０は前記上部板１１２を支持する役割をするようになる。
【００３８】
前記上部板支持台１２０は、上端部が上部板１１２と溶接または一体型に結合され、下端部が底板１１１と溶接または一体型に結合される。
【００３９】
前記熱伝逹支持台１３０は中間部の外側に上部板１１２が溶接または一体型に構成され、かつ設置位置によって上部板１１２と結合される高さが変わり、前記上部板１１２の上部に位置した熱伝逹支持台１３０は最大限密閉力あるように構成する。これは、焚口で発生した火気（熱気）を取って蓄熱部１４０に熱を直接伝達し、かつ煙を前記蓄熱部１４０の間に流入させないようにするためである。
【００４０】
前記上部板支持台１２０は、開放された上面１２１に蓄熱組成物が内蔵されて前記蓄熱部１４０が前記熱移動通路１１３に延長されて熱を貯蔵することができ、焚口で発生する火気を取る機能も遂行する。
【００４１】
前記上部板１１２は（分離型の場合）前記上部板支持台１２０及び熱伝逹支持台１３０が設置される箇所が通孔１１２ａで形成される。図４はこのような分離型の場合を図示したものである。前記上部板支持台１２０が焚口１０が位置した焚口に近い部分（または、‘前方’と表現）から煙排出口１１７が位置した焚口から遠い部分（または、‘後方’と表現）に行くほど徐々にその高さが高く形成されて、前記フレーム１１０に前記上部板１１２が焚口に近い部分から遠い部分に行くほど上向き傾斜するように形成されて、前記上部板１１２の上に配置される前記蓄熱部１４０は、図３に示すように、焚口に近い部分の厚さ（ｄ１）が焚口から遠い部分の厚さ（ｄ２）より厚く設けられる。
【００４２】
前記蓄熱部１４０は焚口に近い部分で厚く、焚口から遠い部分に行くほど徐々に薄くなり、このような効果により焚口に近い部分の床が熱くなるためには長い時間が要求されるが、焚口に近い部分は焚口から強い熱を直接伝達を受けることができるので、むしろ床が過度に熱くならないようになる。また、焚口に近い部分の蓄熱部が厚いので、熱を蓄積した蓄熱部が長らく暖かい熱気を保管できるので、長時間の保温効果を享受することができる。
【００４３】
また、蓄熱部１４０の焚口から遠い部分はその厚さが薄いため、床まで熱を伝達する時間が短くなる。しかしながら、焚口から遠い部分は焚口から遠く離れているので伝達される熱気が少ないため、焚口に近い部分より速く加熱されない。蓄熱部１４０の焚口に近い部分と焚口から遠い部分の厚さは、床の全体の広さと焚口に近い部分から遠い部分への長さによって、蓄熱部１４０の上部の仕上げ材（床に該当）が均一に加熱されるように決定する。
【００４４】
前記上部板支持台１２０の内部と、前記側面板１１４と壁面１１３ａとの間に位置する溝部１１５及び上部板１１２の上部、即ち前記側面板１１４の内側に前記側面板１１４の上端部まで一定の高さに前記蓄熱組成物が内蔵され、前記蓄熱部１４０の上部にはオンドル、大理石、または紙床仕上げ材などの仕上げ材１４１で仕上げ処理される。
【００４５】
前記蓄熱部１４０に内蔵される蓄熱組成物は、黄土、砂利、麦飯石、玉粉、炭粉などのいずれか１つ以上が単独または混合して、堅固で、かつ熱伝導性の良い空間充満材からなる。
【００４６】
そして、前記蓄熱部１４０の上部の仕上げ材１４１は床に該当し、オンドル、大理石、または床仕上げ材など、居住に便利な材質で仕上げる。
【００４７】
前記焚口１０で発生する煙は前記フレーム１１０の熱移動通路１１３を通過し、前記熱移動通路１１３の後面に位置した後面板１１３ｂの両端部に位置した煙排出口１１７を通じて外部に抜け出るようになる。
【００４８】
そして、前記煙排出口１１７を通じて抜け出る煙や燃焼熱は外部に放出されるように前記煙排出口１１７と連結される煙突１１がさらに設置具備されるようになる。
【００４９】
したがって、前記焚口１０で燃焼される燃焼熱や煙などが前記熱移動通路１１３を経ながら蓄熱部１４０に熱伝逹を行った後、煙排出口１１７に連結される煙突１１を通じて外部に抜け出るようになる。
【００５０】
ここで、前記煙突１１は中空形状の円筒となって、端部を建物の屋根より高く設置して、流入する煙や熱気を高さ差を用いて外部に容易に排出させることができるようにする構造として設けられる。
【００５１】
焚口で煙排出口の間の他の構成により煙が排出されないように、熱伝逹通路１１３の上部、側部、及び下部は可能な程度に密閉を提供するようにする。
【００５２】
そして、前記焚口１０はフレーム１１０の前面から下部に亘って設置されて前記熱移動通路１１３と連通するようにし、木とペレットなどの多様な材質の熱気提供物質が収容できる構造で設けられることができる。
【００５３】
前記熱伝逹支持台１３０は、四角柱、三角柱、五角柱など、多角柱または円柱に形成され、前記焚口１０から遠ざかるほど高さが高まり、前記上部板１１２の上に突出形成される。
【００５４】
前記熱伝逹支持台１３０は、前記焚口１０から遠ざかるほど高さが高まるように前記上部板１１２の上に突出形成されるので、前記熱伝逹支持台１３０の上端と前記蓄熱部１４０の上端との間の厚さ（ｈ１〜ｈ４）が焚口に近い部分から遠い部分に行くほど小さくなり、焚口に近い部分よりは焚口から遠い部分で床である仕上げ材１４１に速く熱が伝達できるようになる。
【００５５】
蓄熱部１４０の厚さ変化と共に熱伝逹支持台１３０の長さ変化は焚口に近い部分と遠い部分が均一に暖かくなるようにする効果がある。
【００５６】
前記蓄熱部１４０は焚口に近い部分で厚く、焚口から遠い部分に行くほど徐々に薄くなり、前記熱伝逹支持台１３０と仕上げ材１４１との間の長さは蓄熱部と反比例して焚口に近い部分で長く、焚口から遠い部分で短く形成される。これに対する効果は、以下の熱伝逹支持台１３０の構造を説明した後に記載する。
【００５７】
前記熱伝逹支持台１３０は、図４に示すように、熱伝逹通路１１３が形成された底板１１１と上部板１１２との間で焚口方向の前方面１３１と側面１３２に前方ホール１３１ａと側面ホール１３２ａが形成されて焚口で発生した熱気が熱伝達支持台１３０内側に入ることができるようにする。
【００５８】
前記熱伝逹支持台１３０内側に入った熱は煙排出口１１７方向の後方面１３４が塞がっているので、後方面とぶつかって上部に上がり、この時の熱の熱気の強さ及び熱伝逹支持台の内部構造によって渦流を形成することもある。熱伝逹支持台１３０の上部は蓄熱組成物が充填された蓄熱部１４０の内側に突出しているので、前記蓄熱部１４０の間に熱を直接的に速く伝達するようになる。
【００５９】
前記熱伝逹支持台１３０の高さが高いほど、床である仕上げ材１４１まで近いため、仕上げ材１４１の部分を速かに加熱させることができるようになり、熱伝逹支持台１３０の高さが低いほど仕上げ材１４１まで遠いため、仕上げ材１４１の部分を加熱することに長い時間がかかる。
【００６０】
前記蓄熱部１４０は、焚口に近い部分で厚いので、焚口に近い部分の床が熱くなるためには長い時間が要求されるが、この部分は焚口から強い熱を直接伝達を受けることができるので、焚口から遠い部分と均一に暖かくなる効果と、床が過度に熱くならないようになる効果がある。しかしながら、焚口で強い熱を蓄熱部が受けていても蓄熱部が厚いため、床である仕上げ材まで加熱する時間が相当に長らくかかる問題がある。本発明では前記問題を熱伝逹支持台１３０を通じて解決する。
【００６１】
本発明の前記熱伝逹支持台１３０は蓄熱部１４０の間に突出して配置して、焚口から発生した熱が蓄熱部１４０の間に直接伝達する。この時にも焚口に近い部分では焚口と近くて強い熱が過度に焚口に近い部分に伝達されないように熱伝逹支持台１３０と床（仕上げ材部分）までの距離を遠く形成（即ち、熱伝逹支持台の高さを低くする）し、焚口から遠い部分には焚口と遠いので、熱を床に速く伝達するように熱伝逹支持台１３０と床（仕上げ材部分）までの距離を近くする。
【００６２】
したがって、本発明は熱伝逹支持台１３０によって焚口に近い部分と焚口から遠い部分両方とも速かに加熱される効果が発生する。
【００６３】
前記前方ホール１３１ａと側面ホール１３２ａの高さは前記底板１１１と上部板１１２との間の間隔より低いか等しく形成され、前記焚口１０を眺める前方面１３１に位置した前方ホール１３１ａが側面１３２に位置した側面ホール１３２ａより面積が広く、焚口１０の反対側の後方面１３４には熱が抜け出ないようにホールを形成しない。
【００６４】
したがって、焚口側（焚口に近い部分）に位置した熱伝逹支持台１３０の前方ホール１３１ａ及び側面ホール１３２ａの高さは、煙排出口側（焚口から遠い部分）に位置した熱伝逹支持台１３０の前方ホール１３１ａ及び側面ホール１３２ａの高さより高く形成される。
【００６５】
前方ホール１３１ａまたは側面ホール１３２ａに流入した熱気は、上に熱伝逹支持台１３０の上部に上がり、一度上がった熱は持続的に熱伝逹支持台１３０の内部で留まりながら蓄熱部の内部を加熱する。
【００６６】
また、焚口を基準に中央部分に位置した熱伝逹支持台１３０は、側面ホール１３２ａが両側面に全て形成され、右側または左側部分に位置した熱伝逹支持台１３０は焚口側のみに側面ホール１３２ａが形成されることが好ましい。
【００６７】
前記前方ホール１３１ａと側面ホール１３２ａ、１３３ａの形状は四角形が最も好ましいが、三角形、円形、楕円形など、いかなる形状でも関係なく、焚口に近い部分と焚口から遠い部分で異なる形状に備えられることもできる。
【００６８】
また、前方ホールと側面ホールは区分されず、焚口方向に打孔が形成されて互いに連結されているので、完全に区別されず、１つの打孔と見えることもある。
【００６９】
一方、前記熱伝逹支持台１３０は後方面１３４の内側に下向き傾斜する傾斜面１３４ａが形成されて、前記熱伝逹支持台１３０の内側に入った熱が前記傾斜面１３４ａに沿って熱伝逹支持台１３０の上部に速く上がりながら回転できるようにすることができる。
【００７０】
また、上記のように製造されたオンドル構造体１００は、図６に示すように、前記フレーム１１０の外側面に運搬車量に搭載されるために移動用通孔１１８がさらに形成されて運搬が容易になされるようになる。
【００７１】
以上のように、本発明に係るオンドル構造体１００は、前記焚口１０で発生する火気（熱気）と煙が焚口１０に近い部分から遠い部分に行くほど高さが高まる熱移動通路１１３に設置される上部板支持台１２０及び熱伝逹支持台１３０を通過しながら焚口に近い部分から遠い部分に行くほど厚さが薄くなる蓄熱部１４０に速く熱を伝達するようにすることによって、床の全体が均一に熱くなる効果がある。
【００７２】
また、本発明は熱が内部で回転しながら熱を拘束する前記熱伝逹支持台１３０が上部板１１２の上に突出形成されて、前記上部板１１２の上に配置される前記蓄熱部１４０で熱を長らく貯蔵できるようになる効果がある。
【符号の説明】
【００７３】
１０    焚口
１１    煙突
１００    オンドル構造体
１１０    フレーム
１１１    底板
１１２    上部板
１１２ａ    通孔
１１２ｂ    上部支持台
１１３    熱移動通路
１１３ａ    壁面
１１３ｂ    後面板
１１４    側面板
１１５    溝部
１１５ａ    連結台
１１６    焚口装着部
１１７    煙排出口
１１８    移動用通孔
１２０    上部板支持台
１２１    上面
１３０    熱伝逹支持台
１３１    前方面
１３１ａ    前方ホール
１３２    側面
１３２ａ    側面ホール
１３４    後方面
１３４ａ    傾斜面
１４０    蓄熱部
１４１    仕上げ材
【図１】
2018004236.tif 000003
【図２】
2018004236.tif 000004
【図３】
2018004236.tif 000005
【図４】
2018004236.tif 000006
【図５】
2018004236.tif 000007
【図６】
2018004236.tif 000008
【手続補正書】
【提出日】平成29年8月1日(2017.8.1)
【手続補正１】
【補正対象書類名】特許請求の範囲
【補正対象項目名】請求項１
【補正方法】変更
【補正の内容】
【請求項１】
焚口（１０）で発生する火気を用いて暖房するオンドル構造体であって、
焚口（１０）で発生する火気の伝達を受けて熱を貯蔵するために底板（１１１）から離隔して上部板（１１２）が設置され、前記底板（１１１）と上部板（１１２）との間に熱が移動する熱移動通路（１１３）を形成するフレーム（１１０）と、
前記底板（１１１）から前記上部板（１１２）まで延長形成され、前記熱移動通路（１１３）に多数備えられ、上面（１２１）が開放された上部板支持台（１２０）と、
前記底板（１１１）に垂直に設置されて前記熱移動通路（１１３）に多数備えられ、前記上部板（１１２）の上に突出形成され、かつ内部が中空であり、前記上部板（１１２）の下に前記焚口方向に通孔が形成された熱伝逹支持台（１３０）と、
前記上部板（１１２）の上部に位置する蓄熱部（１４０）と、
を含んでなり、かつ、
前記熱移動通路（１１３）は前記焚口（１０）から遠ざかるほどその高さが高まり、前記蓄熱部（１４０）は前記焚口（１０）から遠ざかるほどその厚さが小さくなることを特徴とする、オンドル構造体。